(57)【要約】【課題】氷等の内容物が飲み物と一緒に流出するのを防ぐ蓋体を提供する。【解決手段】飲料等が入れられる容器１の開口部１１に取り付けられる蓋体２であって、前記蓋体２は、前記容器１の前記開口面１１を覆う天板部２１と、前記天板部２１の周縁部２１４から下方向に延びる側板部２２とを備える。前記天板部２１は、前記天板部２１の前記周縁部２１４の近傍に飲み口部２１２を有する。前記飲み口部２１２は、複数の孔部２１３が集まることにより構成される。【選択図】図１５
2020175899.tif 000002
【特許請求の範囲】
【請求項１】
飲料等が入れられる容器の開口面に取り付けられる蓋体であって、
前記蓋体は、前記容器の前記開口面を覆う天板部と、前記天板部の周縁部から下方向に延びる側板部と、を備え、
前記天板部は、前記天板部の前記周縁部の近傍に飲み口部を有し、
前記飲み口部は、複数の孔部が集まることにより構成される、
蓋体。
【請求項２】
前記孔部の形状は、長孔、多角形状、円形状、文字又は記号のいずれかである、
請求項１に記載の蓋体。
【請求項３】
前記複数の孔部は、各々が所望のキャラクターの一部を構成するように形成され、前記複数の孔部全体で一のキャラクターを表すように構成されている、
請求項１に記載の蓋体。
【請求項４】
前記請求項１〜３のいずれかに記載の蓋体を備える容器。
【発明の詳細な説明】
【技術分野】
【０００１】
本発明は、蓋体及び蓋体を備える容器に関し、より詳細には、飲料用の蓋体及び該蓋体を備える飲料用の容器に関する。
【背景技術】
【０００２】
特許文献１には、従来の使い捨てコップの開口部に被せられる蓋が開示されている。この特許文献１の蓋は飲料を飲むための飲み口を有する。
【先行技術文献】
【特許文献】
【０００３】
【特許文献１】特開２００７−３０９８４号公報
【発明の概要】
【発明が解決しようとする課題】
【０００４】
しかしながら、特許文献１に記載の蓋では、氷等の固体よりも、孔の直径が大きいため、人間の口の中に、飲料とともに氷等の固体も流出されることがある。このため、飲料を飲む際に、口の中に氷等の固体が入り込むため、煩わしさがあった。
【０００５】
本発明は、上記事情に鑑みてなされたものであり、その目的とするところは、人間の口の中に、氷等の内容物が飲み物と一緒に流出するのを防ぐことができる蓋体及び容器を提供することにある。
【課題を解決するための手段】
【０００６】
本発明に係る一態様の蓋体は、飲料等が入れられる容器の開口面に取り付けられる蓋体であって、前記蓋体は、前記容器の前記開口面を覆う天板部と、前記天板部の周縁部から下方向に延びる側板部と、を備える。前記天板部は、天板部の前記周縁部の近傍に飲み口部を有する。前記飲み口部は、複数の孔部が集まることにより構成される。
【発明の効果】
【０００７】
本発明に係る上記態様の蓋体は、氷等の固体を飲み口で塞き止めることができ、飲料を飲みやすくできる、という利点がある。
【図面の簡単な説明】
【０００８】
【図１】図１は、一実施形態に係る蓋体とコップとを分離させた状態を示す斜視図である。
【図２】図２は、同状態を示す斜視図である。
【図３】図３は、同状態を示す正面図である。
【図４】図４は、同状態を示す背面図である。
【図５】図５は、同状態を示す平面図である。
【図６】図６は、同状態を示す底面図である。
【図７】図７は、同状態を示す右側面図である。
【図８】図８は、一実施形態に係る蓋体をコップに装着した状態を示す斜視図である。
【図９】図９は、同状態を示す斜視図である。
【図１０】図１０は、同状態を示す正面図である。
【図１１】図１１は、同状態を示す背面図である。
【図１２】図１２は、同状態を示す平面図である。
【図１３】図１３は、同状態を示す底面図である。
【図１４】図１４は、同状態を示す右側面図である。
【図１５】図１５は、実施形態に係る蓋体の斜視図である。
【図１６】図１６は、同蓋体の斜視図である。
【図１７】図１７は、同蓋体の正面図である。
【図１８】図１８は、同蓋体の背面図である。
【図１９】図１９は、同蓋体の平面図である。
【図２０】図２０は、同蓋体の底面図である。
【図２１】図２１は、同蓋体の右側面図である。
【図２２】図２２は、同蓋体のＡ−Ａ拡大端面図である。
【図２３】図２３は、変形例に係る蓋体の斜視図である。
【図２４】図２４は、同蓋体の斜視図である。
【図２５】図２５は、同蓋体の正面図である。
【図２６】図２６は、同蓋体の背面図である。
【図２７】図２７は、同蓋体の平面図である。
【図２８】図２８は、同蓋体の底面図である。
【図２９】図２９は、同蓋体の右側面図である。
【図３０】図３０は、同蓋体のＡ−Ａ拡大端面図である。
【図３１】図３１は、別の変形例に係る蓋体の斜視図である。
【図３２】図３２は、同蓋体の斜視図である。
【図３３】図３３は、同蓋体の正面図である。
【図３４】図３４は、同蓋体の背面図である。
【図３６】図３６は、同蓋体の底面図である。
【図３７】図３７は、同蓋体の右側面図である。
【図３８】図３８は、同蓋体のＡ−Ａ拡大端面図である。
【図３９】図３９は、別の変形例に係る蓋体の斜視図である。
【図４０】図４０は、同蓋体の斜視図である。
【図４１】図４１は、同蓋体の正面図である。
【図４２】図４２は、同蓋体の背面図である。
【図４３】図４３は、同蓋体の平面図である。
【図４４】図４４は、同蓋体の底面図である。
【図４５】図４５は、同蓋体の右側面図である。
【図４６】図４６は、別の変形例に係る蓋体の斜視図である。
【図４７】図４７は、同蓋体の斜視図である。
【図４８】図４８は、同蓋体の正面図である。
【図４９】図４９は、同蓋体の背面図である。
【図５０】図５０は、同蓋体の平面図である。
【図５１】図５１は、同蓋体の底面図である。
【図５２】図５２は、同蓋体の右側面図である。
【図５３】図５３は、蓋体の飲み口を説明する斜視図である。
【図５４】図５４は、同蓋体の斜視図である。
【図５５】図５５は、同蓋体の正面図である。
【図５６】図５６は、同蓋体の背面図である。
【図５７】図５７は、同蓋体の平面図である。
【図５８】図５８は、同蓋体の底面図である。
【図５９】図５９は、同蓋体の右側面図である。
【図６０】図６０は、同蓋体のＡ−Ａ拡大端面図である。
【図６１】図６１は、蓋体の飲み口を説明する斜視図である。
【図６２】図６２は、同蓋体の斜視図である。
【図６３】図６３は、同蓋体の正面図である。
【図６４】図６４は、同蓋体の背面図である。
【図６５】図６５は、同蓋体の平面図である。
【図６６】図６６は、同蓋体の底面図である。
【図６７】図６７は、同蓋体の右側面図である。
【図６８】図６８は、同蓋体のＡ−Ａ拡大端面図である。
【図６９】図６９は、蓋体の飲み口を説明する斜視図である。
【図７０】図７０は、同蓋体の斜視図である。
【図７１】図７１は、同蓋体の正面図である。
【図７２】図７２は、同蓋体の背面図である。
【図７３】図７３は、同蓋体の平面図である。
【図７４】図７４は、同蓋体の底面図である。
【図７５】図７５は、同蓋体の右側面図である。
【図７６】図７６は、同蓋体のＡ−Ａ拡大端面図である。
【発明を実施するための形態】
【０００９】
（１）実施形態
【００１０】
以下、一実施形態に係る蓋体および容器について詳細に説明する。図１〜図２２に示すように、本実施形態に係る蓋体２は、飲料等を収容して持ち運ぶ容器１に被せられるための蓋である。蓋体２の構成は後述する。
（１．１）容器
【００１１】
この蓋体２が被せられる容器１は、飲料を入れるようなもの（例：飲料用容器）であればよく、コップ、マグカップ、缶等が挙げられる。容器１は、例えば、紙、合成樹脂、陶磁器等などの材質が採用でき、材質に制限はない。飲料としては、ドリンク、スープ等が挙げられる。
【００１２】
容器１は、上面に開口面１１を有しており、開口面１１を通じて飲料を入れられる。容器１は側壁１２と底壁１３と備える。側壁１２は容器１の周囲の壁であり、底壁１３の外周端から上方向に突出している。側壁１２は筒状である。
（１．２）蓋体
【００１３】
図１５〜図２２に示すように、本実施形態に係る蓋体２は、容器１に対して取り外し可能に取り付けられる。蓋体２は、容器１に取り付けられると、容器１の開口面１１を覆う。蓋体２は、蓋の主体をなす部分である。蓋体２は、天板部２１と、側板部２２と、係止部２４とを備える。
【００１４】
天板部２１は、容器１に取り付けられたときに、容器１の開口面１１を覆い、飲料が溢れるのを防いだり、不純物が飲料内に混入するのを防ぐ。天板部２１は、平面視略円形状の板体で構成されている。
【００１５】
天板部２１は、凹面部２１１と飲み口部２１２と周縁部２１４とを有する。図２２に示すように、凹面部２１１は周縁部２１４から蓋体２の中心に向かって凹んでいる。前記凹みは、周縁部２１４の少し内側から形成されている。周縁部２１４は、天板部２１の周縁を構成し、水平面に沿って形成されている。
【００１６】
飲み口部２１２は飲み口を構成する。飲み口部２１２は、複数の孔部２１３が集まることにより構成される。孔部２１３は、凹面部２１１から更に上下方向の下方に凹んだ第二凹面部２１５に形成されている。第二凹面部２１５は、平面視において孔部２１３を囲むように形成されている。
【００１７】
図１５に示すように、孔部２１３は周縁部２１４の近傍に設けられている。各々の孔部２１３は周縁部２１４から中心までの半径の半分程度であって、周縁部２１４側に設けられている。孔部２１３は４箇所設けられている。各々の孔部２１３は、いずれも長方形状の長孔である。孔部２１３は、周縁部２１４から対抗する周縁部２１４に向かって直線状に形成されている。
【００１８】
側板部２２は、蓋体２の側壁の全周囲を構成する。天板部２１の周縁部２１４から下方向に突出している。側板部２２は天板部２１とは一体に構成されている。側面視において、側板部２２は、側板部２２の下方端２２ａが上方端２２ｂ（天板部２１に延びる部分）よりも、蓋体２の中心から離れるように傾斜している。
【００１９】
側板部２２は立壁部２３を含む。立壁部２３は側板部２２のうち、飲み口部２１２が形成されている側に有する。立壁部２３は、立壁部２３が形成された側以外よりも、高さが高く（上下方向の長さが長く）なるように形成されている。立壁部２３の周縁部２１４の上面は、孔部２１３が形成された上面よりも、高さが高い。側面視（図２１）において、立壁部２３の周縁部２１４は、飲み口部２１２の近傍（近傍の周縁部２１４）から飲み口部２１２側に向かうに従って徐々に高くなるように傾斜している。
【００２０】
係止部２４は、容器１の縁部１４と係合する。係止部２４は側板部２２と一体に形成されている。係止部２４は側板部２２の下方端部に形成されている。係止部２４は溝部２４１を有する。溝部２４１は、係止部２４（蓋体２）の裏面に形成されている。図２２に示すように、溝部２４１は環状に形成されている。該溝部２４１には容器１の側壁１２の縁部１４が嵌り込むことで、蓋体２は容器１に取り外し可能に取り付けられる。
【００２１】
本実施形態に係る蓋体２は、合成樹脂で構成されている。合成樹脂としては、例えば、ＰＥＴ（ポリエチレンテレフタレート）、ＰＳ（ポリスチレン）、ＰＥ（ポリエチレン）、ＰＶＣ（ポリ塩化ビニル）、ＰＰ（ポリプロピレン）、ＡＢＳ（アクリロニトリル・ブタジエン・スチレン）樹脂等が挙げられる。ただし、本開示でいう蓋体２は、合成樹脂に限らず、カーボン等の炭素繊維、木質材料、金属等であってもよく、材質に制限はない。蓋体２は、射出成形等の方法により形成されても良い。
（２）変形例
【００２２】
上記実施形態は、本開示の様々な実施形態の一つに過ぎない。実施形態は、本開示の目的を達成できれば、設計等に応じて種々の変更が可能である。以下、実施形態の変形例を列挙する。以下に説明する変形例は、適宜組み合わせて適用可能である。
（２．１）円形状
【００２３】
上記実施形態に係る蓋体２は、飲み口部２１２を構成する孔部２１３を長方形状の長孔であるとしたが、本開示では、図２３〜図３０に示すように、飲み口部２１２を構成する孔部２１３を、複数の円形状の孔であってもよい。また円形状は、真円、楕円等のいずれでもあっても良い。円形状の孔部は等間隔、非等間隔のいずれに配置されても良い。
（２．２）多角形
【００２４】
上記実施形態に係る蓋体２は、飲み口部２１２を構成する孔部２１３を長方形状の長孔であるとしたが、本開示では、飲み口部２１２を構成する孔部２１３を複数の多角形状の孔としても良い。多角形状は、具体的に、三角形、四角形、五角形、六角形などであっても良い。一例を示すなら、図３１〜図３８に示すように、飲み口部を構成する孔部を、複数の四角形状の孔であってもよい。
（２．３）キャラクター
【００２５】
上記実施形態に係る蓋体２は、飲み口部２１２を構成する孔部２１３を長方形状の長孔であるとしたが、本開示では、飲み口部を構成する孔部は、所望のキャラクターを模したように、複数の孔部を配置しても良い。
【００２６】
具体的には、複数の孔部は、各々が所望のキャラクターの一部を構成するように形成され、複数の孔部全体で一のキャラクターを表すように構成されている。
【００２７】
例えば、図３９〜図４５に示すように、飲み口部は、蓋体の中心側に２つの真円形状の孔部と、飲み口側に略Ｕ字状の１つの長孔とで構成されても良い。
（２．４）文字又は記号
【００２８】
上記実施形態に係る蓋体２は、飲み口部２１２を構成する孔部２１３を長方形状の長孔であるとしたが、本開示では、飲み口部を構成する孔部は、所望の文字又は記号を模したように、複数の孔部が形成されてもよい。
【００２９】
具体的には、飲み口部を２つの孔部で構成するが、２つの孔部の形状は、各々がアルファベットを表す文字であっても良い。
【００３０】
例えば、図４６〜図５２に示すように、一方の孔部はアルファベットのＭの字に形成され、他方の孔部がアルファベットのＳの字に形成される。これら２つの孔部（ＭＳ）により、飲み口部は、イニシャルを表したものであっても良い。
（３）態様
【００３１】
以上説明したように、上記実施形態の蓋体２は、天板部２１は、複数の孔部２１３が集まることにより構成される飲み口部２１２を有し、飲み口部２１２は、前記天板部２１の前記周縁部２１４の近傍に有する。
【００３２】
この態様によれば、氷等の固体を、飲み口部２１２で塞き止めることができる。このため、飲料を飲みやすくできる。
【００３３】
上記実施形態の孔部２１３は、凹面部２１１から更に上下方向の下方に凹んだ第二凹面部２１５に形成されている。第二凹面部２１５は、平面視において４箇所の孔部２１３を囲むように形成されている。
【００３４】
この態様によれば、飲み物を飲む際に、第二凹面部２１５の凹んだ形状が上唇にフィットして上唇と第二凹面部２１５との密着度合いを高めるため、飲み物をこぼすことなく、飲むことができる。
【００３５】
上記実施形態では、立壁部２３を有するため、立壁部２３の外周面に下唇を当てて、上唇を第二凹面部２１５に当てることで、安定状態のまま、口が大きく空いた状態になる。この状態において、容器１を傾けて飲み物を飲むと、氷等を飲み口部２１２で口に中に入るのを防ぎながら、勢いよく飲み物を飲むことができる。
【００３６】
上記実施形態の孔部２１３は、複数の孔部は、各々が所望のキャラクターの一部を構成するように形成され、複数の孔部全体で一のキャラクターを表すように構成されている。また、飲み口部を構成する孔部は、所望の文字又は記号を模したように、複数の孔部が形成されている。
この態様によれば、更に広告効果等を付与できる。
（４）付言
【００３７】
以下、意匠に関する付言である。図５３〜図６０、図６１〜図６８、図６９〜図７６において、実線で表した部分が、部分意匠として意匠登録を受けようとする部分であり、一点鎖線は部分意匠として意匠登録を受けようとする部分とその他の部分との境界のみを示す線である。図５３〜図６０、図６１〜図６８、図６９〜図７６において、意匠に係る物品は、飲料用カップの蓋である。
【符号の説明】
【００３８】
１      容器
１１    開口面
１２    側壁
１３    底壁
１４    縁部
２      蓋体
２１    天板部
２１１  凹面部
２１２  飲み口部
２１３  孔部
２１４  周縁部
２１５  第二凹面部
２２    側板部
２２ａ  下方端
２２ｂ  上方端
２３    立壁部
２４    係止部
２４１  溝部
【図１】
2020175899.tif 000003
【図２】
2020175899.tif 000004
【図３】
2020175899.tif 000005
【図４】
2020175899.tif 000006
【図５】
2020175899.tif 000007
【図６】
2020175899.tif 000008
【図７】
2020175899.tif 000009
【図８】
2020175899.tif 000010
【図９】
2020175899.tif 000011
【図１０】
2020175899.tif 000012
【図１１】
2020175899.tif 000013
【図１２】
2020175899.tif 000014
【図１３】
2020175899.tif 000015
【図１４】
2020175899.tif 000016
【図１５】
2020175899.tif 000017
【図１６】
2020175899.tif 000018
【図１７】
2020175899.tif 000019
【図１８】
2020175899.tif 000020
【図１９】
2020175899.tif 000021
【図２０】
2020175899.tif 000022
【図２１】
2020175899.tif 000023
【図２２】
2020175899.tif 000024
【図２３】
2020175899.tif 000025
【図２４】
2020175899.tif 000026
【図２５】
2020175899.tif 000027
【図２６】
2020175899.tif 000028
【図２７】
2020175899.tif 000029
【図２８】
2020175899.tif 000030
【図２９】
2020175899.tif 000031
【図３０】
2020175899.tif 000032
【図３１】
2020175899.tif 000033
【図３２】
2020175899.tif 000034
【図３３】
2020175899.tif 000035
【図３４】
2020175899.tif 000036
【図３５】
2020175899.tif 000037
【図３６】
2020175899.tif 000038
【図３７】
2020175899.tif 000039
【図３８】
2020175899.tif 000040
【図３９】
2020175899.tif 000041
【図４０】
2020175899.tif 000042
【図４１】
2020175899.tif 000043
【図４２】
2020175899.tif 000044
【図４３】
2020175899.tif 000045
【図４４】
2020175899.tif 000046
【図４５】
2020175899.tif 000047
【図４６】
2020175899.tif 000048
【図４７】
2020175899.tif 000049
【図４８】
2020175899.tif 000050
【図４９】
2020175899.tif 000051
【図５０】
2020175899.tif 000052
【図５１】
2020175899.tif 000053
【図５２】
2020175899.tif 000054
【図５３】
2020175899.tif 000055
【図５４】
2020175899.tif 000056
【図５５】
2020175899.tif 000057
【図５６】
2020175899.tif 000058
【図５７】
2020175899.tif 000059
【図５８】
2020175899.tif 000060
【図５９】
2020175899.tif 000061
【図６０】
2020175899.tif 000062
【図６１】
2020175899.tif 000063
【図６２】
2020175899.tif 000064
【図６３】
2020175899.tif 000065
【図６４】
2020175899.tif 000066
【図６５】
2020175899.tif 000067
【図６６】
2020175899.tif 000068
【図６７】
2020175899.tif 000069
【図６８】
2020175899.tif 000070
【図６９】
2020175899.tif 000071
【図７０】
2020175899.tif 000072
【図７１】
2020175899.tif 000073
【図７２】
2020175899.tif 000074
【図７３】
2020175899.tif 000075
【図７４】
2020175899.tif 000076
【図７５】
2020175899.tif 000077
【図７６】
2020175899.tif 000078
【手続補正書】
【提出日】平成31年4月26日(2019.4.26)
【手続補正１】
【補正対象書類名】明細書
【補正対象項目名】０００８
【補正方法】変更
【補正の内容】
【０００８】
【図１】図１は、一実施形態に係る蓋体とコップとを分離させた状態を示す斜視図である。
【図２】図２は、同状態を示す斜視図である。
【図３】図３は、同状態を示す正面図である。
【図４】図４は、同状態を示す背面図である。
【図５】図５は、同状態を示す平面図である。
【図６】図６は、同状態を示す底面図である。
【図７】図７は、同状態を示す右側面図である。
【図８】図８は、一実施形態に係る蓋体をコップに装着した状態を示す斜視図である。
【図９】図９は、同状態を示す斜視図である。
【図１０】図１０は、同状態を示す正面図である。
【図１１】図１１は、同状態を示す背面図である。
【図１２】図１２は、同状態を示す平面図である。
【図１３】図１３は、同状態を示す底面図である。
【図１４】図１４は、同状態を示す右側面図である。
【図１５】図１５は、実施形態に係る蓋体の斜視図である。
【図１６】図１６は、同蓋体の斜視図である。
【図１７】図１７は、同蓋体の正面図である。
【図１８】図１８は、同蓋体の背面図である。
【図１９】図１９は、同蓋体の平面図である。
【図２０】図２０は、同蓋体の底面図である。
【図２１】図２１は、同蓋体の右側面図である。
【図２２】図２２は、同蓋体のＡ−Ａ拡大端面図である。
【図２３】図２３は、変形例に係る蓋体の斜視図である。
【図２４】図２４は、同蓋体の斜視図である。
【図２５】図２５は、同蓋体の正面図である。
【図２６】図２６は、同蓋体の背面図である。
【図２７】図２７は、同蓋体の平面図である。
【図２８】図２８は、同蓋体の底面図である。
【図２９】図２９は、同蓋体の右側面図である。
【図３０】図３０は、同蓋体のＡ−Ａ拡大端面図である。
【図３１】図３１は、別の変形例に係る蓋体の斜視図である。
【図３２】図３２は、同蓋体の斜視図である。
【図３３】図３３は、同蓋体の正面図である。
【図３４】図３４は、同蓋体の背面図である。
【図３５】図３５は、同蓋体の平面図である。
【図３６】図３６は、同蓋体の底面図である。
【図３７】図３７は、同蓋体の右側面図である。
【図３８】図３８は、同蓋体のＡ−Ａ拡大端面図である。
【図３９】図３９は、別の変形例に係る蓋体の斜視図である。
【図４０】図４０は、同蓋体の斜視図である。
【図４１】図４１は、同蓋体の正面図である。
【図４２】図４２は、同蓋体の背面図である。
【図４３】図４３は、同蓋体の平面図である。
【図４４】図４４は、同蓋体の底面図である。
【図４５】図４５は、同蓋体の右側面図である。
【図４６】図４６は、別の変形例に係る蓋体の斜視図である。
【図４７】図４７は、同蓋体の斜視図である。
【図４８】図４８は、同蓋体の正面図である。
【図４９】図４９は、同蓋体の背面図である。
【図５０】図５０は、同蓋体の平面図である。
【図５１】図５１は、同蓋体の底面図である。
【図５２】図５２は、同蓋体の右側面図である。
【図５３】図５３は、蓋体の飲み口を説明する斜視図である。
【図５４】図５４は、同蓋体の斜視図である。
【図５５】図５５は、同蓋体の正面図である。
【図５６】図５６は、同蓋体の背面図である。
【図５７】図５７は、同蓋体の平面図である。
【図５８】図５８は、同蓋体の底面図である。
【図５９】図５９は、同蓋体の右側面図である。
【図６０】図６０は、同蓋体のＡ−Ａ拡大端面図である。
【図６１】図６１は、蓋体の飲み口を説明する斜視図である。
【図６２】図６２は、同蓋体の斜視図である。
【図６３】図６３は、同蓋体の正面図である。
【図６４】図６４は、同蓋体の背面図である。
【図６５】図６５は、同蓋体の平面図である。
【図６６】図６６は、同蓋体の底面図である。
【図６７】図６７は、同蓋体の右側面図である。
【図６８】図６８は、同蓋体のＡ−Ａ拡大端面図である。
【図６９】図６９は、蓋体の飲み口を説明する斜視図である。
【図７０】図７０は、同蓋体の斜視図である。
【図７１】図７１は、同蓋体の正面図である。
【図７２】図７２は、同蓋体の背面図である。
【図７３】図７３は、同蓋体の平面図である。
【図７４】図７４は、同蓋体の底面図である。
【図７５】図７５は、同蓋体の右側面図である。
【図７６】図７６は、同蓋体のＡ−Ａ拡大端面図である。
【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
飲料等が入れられる容器の開口面に取り付けられる蓋体であって、
前記蓋体は、前記容器の前記開口面を覆う天板部と、前記天板部の周縁部から下方向に延びる側板部と、を備え、
前記天板部は、前記天板部の前記周縁部の近傍に飲み口部を有し、
前記飲み口部は、複数の孔部が集まることにより構成され、
前記孔部の形状は、文字又は記号いずれかである
蓋体。
【請求項２】
飲料等が入れられる容器の開口面に取り付けられる蓋体であって、
前記蓋体は、前記容器の前記開口面を覆う天板部と、前記天板部の周縁部から下方向に延びる側板部と、を備え、
前記天板部は、前記天板部の前記周縁部の近傍に飲み口部を有し、
前記飲み口部は、複数の孔部が集まることにより構成され、
前記複数の孔部は、各々が所望のキャラクターの一部を構成するように形成され、前記
複数の孔部全体で一のキャラクターを表すように構成されている、
蓋体。
【請求項３】
前記請求項１または２に記載の蓋体を備える容器。
【手続補正書】
【提出日】令和2年3月13日(2020.3.13)
【手続補正２】
【補正対象書類名】特許請求の範囲
【補正対象項目名】全文
【補正方法】変更
【補正の内容】
【特許請求の範囲】
【請求項１】
飲料等が入れられる容器の開口面に取り付けられる飲料用蓋体であって、
前記蓋体は、前記容器の前記開口面を覆う天板部と、前記天板部の周縁部から下方向に延びる側板部と、を備え、
前記天板部は、前記天板部の前記周縁部の近傍に飲み口部を有し、
前記飲み口部は、複数の孔部が集まることにより構成され、
前記孔部の形状は、文字又は記号いずれかである、
飲料用蓋体。
【請求項２】
飲料等が入れられる容器の開口面に取り付けられる飲料用蓋体であって、
前記蓋体は、前記容器の前記開口面を覆う天板部と、前記天板部の周縁部から下方向に延びる側板部と、を備え、
前記天板部は、前記天板部の前記周縁部の近傍に飲み口部を有し、
前記飲み口部は、複数の孔部が集まることにより構成され、
前記複数の孔部は、各々が所望のキャラクターの一部を構成するように形成され、前記複数の孔部全体で一のキャラクターを表すように構成されている、
飲料用蓋体。
【請求項３】
前記請求項１または２に記載の飲料用蓋体を備える飲料用容器。